(57)【要約】      （修正有）【課題】磁気ディスク装置等の障害を診断するディスク診断装置に関し、より詳細には診断結果をＬＥＤの点灯による表示を行う場合に、診断対象のディスク装置と脱着可能に接合するフィクスチャにＬＥＤを設けたディスク診断装置に関する。【解決手段】ディスク装置を診断し診断結果に基づいて駆動回路の作動により点灯表示する第１のＬＥＤを有する診断装置本体と、診断装置本体とＡＴＡ規格のケーブルを介して診断対象のディスク装置と脱着可能に接合するフィクスチャとを有し、フィクスチャは第１のＬＥＤに所定の電位差を生じさせて第１のＬＥＤと並列に駆動回路とＡＴＡ規格のケーブルを介して接続する第２のＬＥＤを備える、よう構成する。【選択図】図１
2009020983.tif 000002
【特許請求の範囲】
【請求項１】
ディスク装置を診断し、該診断の結果に基づいて駆動回路の作動により点灯表示する第１のＬＥＤを有する診断装置本体と、
前記診断装置本体とＡＴＡ規格のケーブルを介して診断対象のディスク装置と脱着可能に接合するフィクスチャと、を有するディスク診断装置であって、
前記フィクスチャは、前記第１のＬＥＤに所定の電位差を生じさせて該第１のＬＥＤと並列に前記駆動回路と前記ＡＴＡ規格のケーブルを介して接続する第２のＬＥＤを備える
ことを特徴とするディスク診断装置。
【請求項２】
前記所定の電位差は、抵抗器または半導体ダイオードを前記第１のＬＥＤに直列に接続し、該第１のＬＥＤを流れる駆動電流によって生じる
ことを特徴とする請求項１に記載のディスク診断装置。
【請求項３】
前記第１と第２のＬＥＤは、それぞれにおいて２個のＬＥＤが異なる発光色を有し、いずれかの１個または２個の点灯による発光色で診断結果を表示する
ことを特徴とする請求項１または請求項２に記載のディスク診断装置。
【請求項４】
駆動電流を定める第１の抵抗器と、該駆動電流によって所定の電位差を発生させる第２の抵抗器または半導体ダイオードを直列接続した第１のＬＥＤとからなる第１のＬＥＤ回路と、制御信号を受けて該駆動電流のスイッチングを行うトランジスタと、からなるディスク診断装置の表示回路であって、
第２のＬＥＤからなる第２のＬＥＤ回路を前記第１のＬＥＤ回路と並列になるように接続可能とし、
前記第２のＬＥＤ回路を接続し前記駆動電流が前記スイッチングによりオンのとき、第２のＬＥＤが点灯し、第１のＬＥＤが消灯または減光し、
前記第２のＬＥＤ回路を接続せず前記駆動電流が前記スイッチングによりオンのとき、第１のＬＥＤが点灯する、
ことを特徴とするディスク診断装置の表示回路。
【発明の詳細な説明】
【技術分野】
【０００１】
本発明は磁気ディスク装置等の障害を診断するディスク診断装置に関し、より詳細には診断結果をＬＥＤの点灯による表示を行う場合に、診断対象のディスク装置と脱着可能に接合するフィクスチャにＬＥＤを設けたディスク診断装置およびディスク診断装置の表示回路に関するものである。
【背景技術】
【０００２】
磁気ディスク等を記録媒体とするディスク装置は、ディスク装置としての製品完成後に何らかの不具合が生じた場合に、不具合が生じたディスク装置をディスク診断装置にかけて不具合発生の原因を調べることが行われている。このディスク装置の診断は、ディスク装置製造メーカあるいはディスク装置を組み込んだ製品の製造メーカにおいて実施されている。
【０００３】
ディスク診断装置は、例えば図６に示すようにディスク診断装置本体２００内にディスクの各種の診断項目を組み込んだ診断回路２１０を備え、フィクスチャ３００を介して診断対象のディスク装置４００と脱着可能に接合し診断を行う。フィクスチャ３００は、ディスク診断装置本体２００のコネクタ２２０（Ｊ２）と嵌合するコネクタ３１０（Ｐ２）、診断回路２１０からの電気信号を伝えるＡＴＡ（Advance Technology Attachment）規格のケーブル３３０およ診断対象のディスク装置４００のコネクタ４１０（Ｐ３）と嵌合するコネクタ３２０（Ｊ３）から構成する。またディスク診断装置本体２００は、診断結果に基づいてＬＥＤ２４０（Ｄ１１、Ｄ１２）の点灯を制御するＬＥＤ駆動回路２３０を備え、例えば診断結果に異常がある場合にはレッドのＬＥＤであるＤ１を点灯し、異常がなければグリーンのＬＥＤであるＤ２を点灯する。通常、ディスク診断装置本体２００は複数（例えば５〜６）の診断回路２１０とフィクスチャ３００を備え、複数台のディスク装置４００を診断できるようにしている（図４は１個の診断回路とそれに接続するフィクスチャとを示している）。またこの例では、ディスク診断装置本体２００は図示しないＰＣ（パーソナルコンピュータ）と接続し、ＰＣの指令に基づいて診断を行うディスク装置の指定や診断項目の選択を行うようにしている。
【０００４】
ディスク装置の診断を行うオペレータ（作業者）は、ディスク診断装置本体２００に接続する複数のフィクスチャ３００にディスク装置をそれぞれ接続した後（フィクスチャ３００のコネクタ３２０とディスク装置４００のコネクタ４１０とを嵌合する）、ＰＣから診断するフィクスチャ３００の機番（例えば、６台のフィクスチャ３００を備えるとき＃０〜＃５と機番が設定される）と診断項目を指定し、診断開始を指示する。それぞれのフィクスチャ３００に接続したディスク装置４００は診断開始に伴ってディスク装置４００に電源が供給され、続いて診断回路２１０によって診断が実施される。そして、診断終了と共に診断結果をディスク診断装置本体２００に設けられたＬＥＤの点灯（グリーンかレッド）によって表示する。ＬＥＤの点灯を見てオペレータは診断終了と判断し、フィクスチャ３００からディスク装置４００を取り外す。この時点ではディスク装置４００に診断のために印加された電気信号および電源は全てＯＦＦの状態になっている。
【０００５】
フィクスチャ３００のケーブル３３０は上述したようにＡＴＡ規格のケーブルであるが、ＡＴＡ規格は各ハードディスクメーカによって定められた共通仕様であり（INCITS T13/1698D AT Attachment-8ATA/ATAPI Parallel Transport(AtA8-APT)参照）、現在ではＰＣとディスク装置とはこの規格に基づいてインターフェースがなされることが一般的になっている。従って、ディスク診断装置１００においてもＡＴＡ規格によるケーブルを用いてディスク装置の診断を行っている。
【０００６】
本発明はフィクスチャを用いたディスク診断装置に関するものであるが、同じ分野の技術が提案されている。例えば、治具（フィクスチャ）を用いて試験を行う磁気ディスク装置を脱着可能に固定し、試験プログラムに基づいて磁気ディスク装置を作動させ、ＧＰＩＢ装置を介して分析装置で分析を行うものがある（特許文献１）。
【０００７】
また、磁気ディスク装置の駆動系を含めた書込み／読み取り動作の診断を行い、診断結果をＬＥＤを点滅させて表示する磁気ディスク装置の診断方式も提案されている（特許文献２）。
【特許文献１】特開平１１−２３２６４７号公報
【特許文献２】特開昭６０−１１０７６５号公報
【発明の開示】
【発明が解決しようとする課題】
【０００８】
上述のように、ディスク装置の診断を効率よく行うため診断対象のディスク装置と脱着可能のフィクスチャを用い、複数台のディスク装置を同時に診断することが行われている。そして、診断結果を表示するＬＥＤは図６に示すディスク診断装置本体２００上に搭載している。ディスク装置の診断終了後において、オペレータはフィクスチャ３００からディスク装置４００を取り外すことを行うが、そのディスク装置４００の診断結果が正常であったかどうかはディスク診断装置本体２００に搭載された複数のＬＥＤ２４０の中から外そうとしているディスク装置４００に対応したＬＥＤ２４０を見分けることになり、作業効率は必ずしも良いとはいえない。もし、フィクスチャ３００上にＬＥＤが搭載されていればディスク装置４００を外しながら同じ視界の中で診断結果を識別でき作業効率は高まることが考えられる。
【０００９】
フィクスチャ上にＬＥＤを搭載することは、次の点で困難であった。
【００１０】
（１）ディスク診断装置本体２００と接合するフィクスチャに用いるケーブルはＡＴＡ規格で定められるもので、診断結果を示すＬＥＤの配線として使用する線の数は限られている(具体的にはＡＴＡ規格で定めるコネクタを使用するので2本まで線の使用が可能。後述)。
【００１１】
（２）ディスク装置は製品として多くの機種を揃えており、その機種に合わせてフィクスチャが作成されている。このため、仮にフィクスチャにＬＥＤを搭載できたとしても従来のフィクスチャも使用できるものであることが求められる（従来のタイプのフィクスチャと本発明のフィクスチャとの混在使用）。
【００１２】
近時のディスク媒体は３．５インチに加えて２．５インチのディスク装置が用いられるようになりつつあり、これに対応したＡＴＡ規格は５０ピンのコネクタが制定されている（上記仕様の50pin 2.5inch form factor style connector参照）。ここでは、コネクタのピン番号「Ｅ」、「Ｆ」および「２０」が未使用であり、市販されているＩＤＥ（Integrated Drive Electronics）仕様の５０ピンのコネクタは逆挿し防止のためピン番号「２０」は埋めらた構造になっている。従ってピン番号「Ｅ」、「Ｆ」の２本のピンに対してＬＥＤ点灯に用いることは可能である。
【００１３】
しかしながら、フィクスチャに２個のＬＥＤ（グリーンとレッド）を搭載するようにしようとすると、そのためのケーブルは最低でも３本必要となり、ＩＤＥ仕様のコネクタに接続するケーブル以外に別のケーブルを設けてLEDを搭載する必要があった。
【００１４】
本発明は、ＩＤＥ仕様の５０ピンのコネクタに接続する５０芯のケーブルを用いて（別のケーブルを用いることなく）フィクスチャ上にLEDを搭載することを行うものである。本発明の理解を助けるため、（診断回路とフィクスチャとを接合するＡＴＡ規格のケーブルとは別に）上述の３本のケーブルを用いてＬＥＤを設ける例を図７と図８を用いて説明する。なお、以降において図中の同じ番号は同一のものであることを示している。
【００１５】
図７は、ディスク診断装置本体２０１の駆動回路２３１のＬＥＤ２４０に対し、フィクスチャ３００に配置するＬＥＤ３５０を設けた付加回路３４０の例を示している。図７に示すように、付加回路３４０は２個のＬＥＤと電流を制限する２個の制限抵抗器から成り、Ｊ４とＰ４のコネクタを介して駆動回路２３１のＬＥＤ２４０と並列に接続している。付加回路３４０からは３本のＬＥＤ点灯用の配線が必要であり、Ｊ２、Ｐ２のコネクタに接続しているケーブルの使用はできず、別にケーブルを設ける必要がある。
【００１６】
図８は、図７とは異なる回路構成の例を示している。この例は、誤接続や短絡等の作業ミスがあっても、回路を損傷しないように＋５Ｖの電源ラインを直接コネクタに配置しないように考慮したものである。この場合はディスク診断装置本体２０２の駆動回路２３２のトランジスタは４個を必要（Ｑ１〜Ｑ４）とするが、付加回路３４１は２個（Ｄ２１、Ｄ２２）のＬＥＤ３５０のみでよい。この場合でも、付加回路３４１からは３本のＬＥＤ点灯用の配線が必要である。なお図７と図８では、例えばレッドの点灯信号によりＱ１（図８ではＱ１とＱ３）が作動し、ＬＥＤ２４０のＤ１１とＬＥＤ３５０のＤ２１の両方のＬＥＤが赤色に点灯することになる。また、図７のトランジスタＱ１とＱ２は付加回路３４０により２個（Ｄ１１とＤ２１、またはＤ１２とＤ２２）のＬＥＤを点灯するため倍の電流が流れることになり、その電流に対応したトランジスタを選択する必要がある（図６のトランジスタＱ１〜Ｑ４はそれぞれ１個のＬＥＤを点灯する電流が流れる）。
【００１７】
本発明は、ＡＴＡ規格のコネクタに対応したケーブルを介して点灯制御するＬＥＤをフィクスチャ上に設けたディスク診断装置を提供することを目的とする。
【課題を解決するための手段】
【００１８】
本発明のディスク診断装置およびディスク診断装置の表示回路は以下のように構成される。
（１）第１の発明
第１の発明のディスク診断装置は、ディスク装置を診断し、その診断の結果に基づいて駆動回路の作動により点灯表示する第１のＬＥＤを有する診断装置本体と、診断装置本体とＡＴＡ規格のケーブルを介して診断対象のディスク装置と脱着可能に接合するフィクスチャとを有するディスク診断装置であり、そのフィクスチャは、第１のＬＥＤに所定の電位差を生じさせて第１のＬＥＤと並列に駆動回路とＡＴＡ規格のケーブルを介して接続する第２のＬＥＤを備える、ことを特徴とするものである。
（２）第２の発明
第２の発明のディスク診断装置は、第１の発明のディスク診断装置における所定の電位差は、抵抗器または半導体ダイオードを第１のＬＥＤに直列に接続し、第１のＬＥＤを流れる駆動電流によって生じるものである、ことを特徴とする。
（３）第３の発明
第３の発明のディスク診断装置は、第１または第２の発明のディスク診断装置の第１と第２のＬＥＤは、それぞれにおいて２個のＬＥＤが異なる発光色を有し、いずれかの１個または２個の点灯による発光色で診断結果を表示する、ことを特徴とする。
（４）第４の発明
第４の発明のディスク診断装置の表示回路は、駆動電流を定める第１の抵抗器と、その駆動電流によって所定の電位差を発生させる第２の抵抗器または半導体ダイオードを直列接続した第１のＬＥＤとからなる第１のＬＥＤ回路と、制御信号を受けて駆動電流のスイッチングを行うトランジスタと、からなるディスク診断装置の表示回路であり、第２のＬＥＤからなる第２のＬＥＤ回路を第１のＬＥＤ回路と並列になるように接続可能とし、第２のＬＥＤ回路を接続し駆動電流がスイッチングによりオンのとき、第２のＬＥＤが点灯すると共に第１のＬＥＤが消灯または減光し、第２のＬＥＤ回路を接続せず駆動電流が前記スイッチングによりオンのとき、第１のＬＥＤが点灯する、ことを特徴とするものである。
【発明の効果】
【００１９】
上述のように本発明によれば、次に示す効果が得られる。
【００２０】
第１の発明により、フィクスチャに診断結果を表示するＬＥＤを搭載することができるので、診断後に診断結果を見ながらディスク装置をフィクスチャから外すことができ、作業効率が高いディスク診断装置の提供ができる。
【００２１】
また、ＬＥＤを搭載しない従来のフィクスチャも同一ケーブルで診断装置本体に接続でき、本発明のＬＥＤを搭載したフィクスチャと混在して使用できる。
【００２２】
さらに、誤作業での回路損傷を防止するためＬＥＤ駆動を電流流入型にする場合であっても駆動回路を増やす必要はなく、簡易且つ安価に実現できる。
【００２３】
第２の発明により、電位差を抵抗器または半導体ダイオードを用いるため、低コストでＬＥＤを搭載したフィクスチャを備えるディスク診断装置の提供ができる。
【００２４】
第３の発明により、２個の異なる発光色のＬＥＤを搭載するようにしたので、少なくとも４種類の診断結果を含む診断状況の表示ができる。
【００２５】
第４の発明により、表示回路の第１のＬＥＤ回路に第２のＬＥＤ回路を並列に接続すれば、第２のＬＥＤが点灯表示すると共に第１のＬＥＤは消灯または減光し、第２のＬＥＤ回路接続しなければ第１のＬＥＤが点灯表示させることできる。この表示回路をディスク診断装置に適用することにより、第２のＬＥＤ回路を搭載したフィクスチャと搭載しないフィクスチャを混在しての使用ができる。
【発明を実施するための最良の形態】
【００２６】
図１に本発明によるＬＥＤを搭載したフィクスチャを備えるディスク診断装置１１０の実施例を示す。ディスク診断装置１１０は、ディスク診断装置本体２０３内にディスクの各種の診断項目を組み込んだディスク診断回路２１０を備え、診断回路２１０に接続するコネクタ２２１を介してフィクスチャ３０１のコネクタ３１１と嵌合接続している。フィクスチャ３０１は、診断対象のディスク装置４００とコネクタ３２０とコネクタ４１０とで嵌合接続し、診断回路２１０の電気信号はＡＴＡ規格のケーブル３３０を介してディスク装置４００に伝えられる。ディスク診断装置本体２０３内のＬＥＤ駆動回路２３３は、ディスク診断回路２１０からの診断結果の電気信号に基づいてトランジスタＱ１またはＱ２が作動し、ＬＥＤの点灯表示を行う。フィクスチャ３０１はＬＥＤ３４０（Ｄ２１、Ｄ２２）を搭載し、ＬＥＤ３４０を駆動する電流はＬＥＤ駆動回路２３３の制限抵抗Ｒｐから分岐してコネクタ２２１（Ｊ２）、コネクタ３１１（Ｐ２）そしてケーブル３３０を介して流れる。この場合に、ディスク診断装置本体２０３のＬＥＤ２４０は抵抗器Ｒ１とＲ２においてそこに流れる電流により電位差を生じ、減光または消灯する。図６に示したＬＥＤを搭載しないフィクスチャ３００をフィクスチャ３０１に代えて用いた場合にはこのＬＥＤ２４０は点灯することになる。従って、本発明のＬＥＤを搭載したフィクスチャ３０１とＬＥＤを搭載しない従来のフィクスチャ３００とは混在して使用できる。
【００２７】
次に、上述したＬＥＤ２４０のＤ１１とＬＥＤ３４０のＤ２１の点灯の動作についてＬＥＤの特性図を元に説明する。図２に点線で示す曲線はＬＥＤが示す電流−電圧特性（Ｉｆ−Ｖｆ特性）である。このＬＥＤはＩｆ＝２０ｍＡが定格電流であるので、これを基準に制限抵抗器の抵抗値Ｒｐ＝１５０Ωとして負荷線を引くと、図２に示すＲｐ＝１５０Ω負荷線となる（Ｖｃｃ＝５Ｖとする）。ここで、Ｄ１１のＬＥＤに着目し、流れる電流とＲ１の抵抗器（Ｒ１＝５０Ωとする）における電圧降下を加算した線がＶｆ＋Ｉｆ＊５０Ωの曲線となり、負荷線との交点ＡがＤ２１のＬＥＤが接続されない場合に実際に印加される電圧と電流である（約１４ｍＡ）。
【００２８】
Ｄ２１のＬＥＤが接続されて電流が流れるとき（即ち、ＬＥＤ搭載のフィクスチャをディスク診断装置に用いたとき）、合算された電流−電圧特性はＩｓで示され、負荷線との交点Ｂに示す電圧が印加されることになる。このＢ点でのＤ２１はＬＥＤの特性どおりであるのでＩｆ−Ｖｆ曲線との交点から約１６ｍＡ、一方Ｄ１１はＶｆ＋Ｉｆ＊５０Ωの曲線との交点から約３．２ｍＡとなる。即ち、Ｄ２１がないときには、Ｄ１１の電流は１４ｍＡで点灯するが、Ｄ２１が接続されるとＤ２１が１６ｍＡで点灯し、Ｄ１１は３．２ｍＡとなって減光あるいは消灯することになる。ＬＥＤの発光量は電流に略比例し、１０ｍＡ程度で充分の明るさが得られる。図１に示した回路によりＤ２１が接続されていればＤ２１が点灯し、Ｄ２１が接続されていなければＤ１１が点灯する。以上、図１のＬＥＤであるＤ１１とＤ２１との関係で説明したが、Ｄ１２とＤ２２も同様である。
【００２９】
図１では、電位差を得るため抵抗器Ｒ１（またはＲ２）をＬＥＤ２４０と直列になるように挿入したが、抵抗器の代わりにショットキーダイオードを用いて電位差を得ることもできる。図３は、ディスク診断装置本体２０４のＬＥＤ２４０と直列にショットキーダイオードＳＤ１およびＳＤ２を接続し、０．２Ｖの電圧降下を与えた例を示す。図３は図２と較べて駆動回路２３４のコネクタＰ１より右に示す部分のみが異なり、他は同一である。
【００３０】
図２と同様に、図４によりＬＥＤ点灯の動作について説明する。図中のＩｆ−Ｖｆ曲線およびＲｐ＝１５０Ωとしたときの負荷曲線は図２と同様である。また、Ｄ２１のＬＥＤが接続されて電流が流れるとき、合算された電流−電圧特性はＩｓで示され、負荷線との交点Ｂに示す電圧が印加されることになる。Ｖｆ＋０．２Ｖ曲線は、Ｉｆ−Ｖｆ曲線を０．２Ｖシフトしたもので、負荷曲線との交点をＡとする。Ｄ２１のＬＥＤがないときには、Ｄ１１に流れる電流は１８ｍＡで点灯し、Ｄ２１のＬＥＤが接続されると、Ｄ２１が１７ｍＡで点灯し、そのときのＤ１１は２．２ｍＡ程度となって減光または消灯する。図２に示した抵抗器Ｒ１の場合と較べるとＤ２１がないときのＤ１１の電流減少は僅かであることと、逆にＤ２１が有る場合のＤ１１の電流減少が大きいことが特徴となる。
【００３１】
図５に本発明のディスク診断装置１１０の外観を示す。ディスク診断装置本体２０３にはＬＥＤ２４０が搭載され、フィクスチャ３０１にもＬＥＤ３４０を搭載している。また、図中に示すケーブル３０３はＡＴＡ規格の５０芯のケーブルである。図５では見えないが、フィクスチャ３０１と診断対象の２．５インチのディスク装置４００とはＡＴＡ規格の５０ピンのコネクタで嵌合しており、脱着可能である。
【図面の簡単な説明】
【００３２】
【図１】本発明のLED搭載フィクスチャの実施例(その１)である。
【図２】実施例その１のLED点灯の動作説明図である。
【図３】本発明のLED搭載フィクスチャの実施例(その２)である。
【図４】実施例その２のLED点灯の動作説明図である。
【図５】実施例その１のディスク診断装置外観例である。
【図６】従来のディスク診断装置の構成例である。
【図７】従来のディスク診断装置に別ケーブルによりＬＥＤを付加する構成例１である。
【図８】従来のディスク診断装置に別ケーブルによりＬＥＤを付加する構成例２である。
【符号の説明】
【００３３】
１００  ディスク診断装置
１０１  ディスク診断装置
１０２  ディスク診断装置
１１０  ディスク診断装置
２００  ディスク診断装置本体
２０１  ディスク診断装置本体
２０２  ディスク診断装置本体
２１０  診断回路
２２０  コネクタ
２３０  ＬＥＤ駆動回路
２３１  ＬＥＤ駆動回路
２３２  ＬＥＤ駆動回路
２３３  ＬＥＤ駆動回路
２３４  ＬＥＤ駆動回路
２４０  ＬＥＤ
３００  フィクスチャ
３０１  フィクスチャ
３１０  コネクタ
３２０  コネクタ
３３０  ＡＴＡ規格のケーブル（５０芯）
３４０  付加回路
３４１  付加回路
３５０  ＬＥＤ
４００  診断対象のディスク装置
４１０  コネクタ
【図１】
2009020983.tif 000003
【図２】
2009020983.tif 000004
【図３】
2009020983.tif 000005
【図４】
2009020983.tif 000006
【図５】
2009020983.tif 000007
【図６】
2009020983.tif 000008
【図７】
2009020983.tif 000009
【図８】
2009020983.tif 000010